【手続補正書】
【提出日】平成20年4月10日(2008.4.10)
【手続補正１】
【補正対象書類名】明細書
【補正対象項目名】発明の名称
【補正方法】変更
【補正の内容】
【発明の名称】画像処理装置、走査方式変換方法、記憶媒体、及びプログラム
【手続補正２】
【補正対象書類名】明細書
【補正対象項目名】特許請求の範囲
【補正方法】変更
【補正の内容】
【特許請求の範囲】
【請求項１】  第１の走査方式による第１の画像信号が動き補償予測符号化により符号化された符号化信号から、第２の走査方式による第２の画像信号を取得する画像処理装置であって、
上記符号化信号を復号して得られた第１の画像信号を記憶する第１の画像記憶手段と、
上記符号化信号を復号して得られた動きベクトルを記憶する動きベクトル記憶手段と、
上記動きベクトル記憶手段内の動きベクトルに基づいて、上記第１の画像記憶手段内の第１の画像信号により構成される画面を領域分割する領域分割手段と、
上記第１の画像記憶手段内の第１の画像信号に対する上記第２の画像信号への変換処理の負荷を推定する推定手段と、
上記領域分割手段での分割結果及び上記推定手段での結果に基づき、上記領域分割手段による分割領域において、上記第１の画像記憶手段内の第１の画像信号に対する上記第２の画像信号への走査方式変換処理の複数の手法の中から選択した手法による走査方式変換処理を実行する走査方式変換手段と
を備えることを特徴とする画像処理装置。
【請求項２】  上記走査方式変換手段は、所定数の走査方式変換処理手法の中から実行する走査方式変換処理手法を選択するものであり、
上記所定数は、上記領域分割手段による領域分割の数に対応した数を含むことを特徴とする請求項１に記載の画像処理装置。
【請求項３】  上記走査方式変換手段により得られた上記第２の画像信号を記憶する第２の画像記憶手段を更に備え、
上記走査方式変換手段は、上記領域分割手段により得られた分割領域のそれぞれに対して付加された画面上での位置情報に基づいて、対象とする分割領域の画像信号を上記第２の画像記憶手段の該当する位置へ格納することを特徴とする請求項１に記載の画像処理装置。
【請求項４】  上記推定手段は、上記第１の画像記憶手段に記憶されている情報量を監視することで処理負荷の大きさを推定し、
上記走査方式変換手段は、上記推定手段の結果に基づいて、上記走査方式変換処理の手法の選択を行うことを特徴とする請求項１に記載の画像処理装置。
【請求項５】  上記走査方式変換手段は、上記処理負荷が大きい場合、上記走査方式変換処理の手法の変更を行うことを特徴とする請求項４に記載の画像処理装置。
【請求項６】  上記走査方式変換手段は、現在選択している走査方式変換処理手法よりも負荷の小さい変換処理の手法に変更することを特徴とする請求項５に記載の画像処理装置。
【請求項７】  第１の走査方式による第１の画像信号が動き補償予測符号化により符号化された符号化信号から、当該第１の走査方式を第２の走査方式に変換して第２の画像信号を取得するための走査方式変換方法であって、
上記符号化信号を復号して得られた第１の画像信号を記憶する画像記憶ステップと、
上記符号化信号を復号して得られた動きベクトルを記憶する動きベクトル記憶ステップと、
上記動きベクトル記憶ステップにより記憶された動きベクトルに基づいて、上記画像記憶ステップにより記憶された第１の画像信号により構成される画面を領域分割する領域分割ステップと、
上記画像記憶ステップにより記憶された第１の画像信号に対する上記第２の画像信号への走査方式変換処理の負荷を推定する推定ステップと、
上記領域分割ステップによる分割結果及び上記推定ステップによる結果に基づき、上記領域分割ステップによる分割領域において、上記画像記憶ステップにより記憶された第１の画像信号に対する上記第２の画像信号への走査方式変換処理の複数の手法の中から選択した手法による走査方式変換処理を実行する走査方式変換ステップと
を含むことを特徴とする走査方式変換方法。
【請求項８】  第１の走査方式による第１の画像信号を第２の走査方式による第２の画像信号に変換するための走査方式変換方法であって、
上記第１の画像信号が動き補償予測符号化により符号化された符号化信号を入力する入力ステップと、
上記入力ステップによる符号化信号を復号して上記第１の画像信号及び動きベクトルを取得する復号ステップと、
上記復号ステップにより得られた第１の画像信号を記憶する画像記憶ステップと、
上記復号ステップにより得られた動きベクトルを記憶する動きベクトル記憶ステップと、
上記動きベクトル記憶ステップにより記憶された動きベクトルに基づいて、上記画像記憶ステップにより記憶された第１の画像信号に対応する画面領域を分割する領域分割ステップと、
上記領域分割ステップによる分割結果に基づいて、上記変換の処理の手法を選択する手法選択ステップと、
上記手法選択ステップでの選択結果に基づいて、上記領域分割ステップにより得られた分割領域の画像信号を分配する分配ステップと、
上記画像記憶ステップにより記憶された情報量に基づいて、現在の処理負荷を推定する推定ステップと、
上記推定ステップでの推定結果に基づき、上記分配ステップにより分配された分割領域の画像信号に対して、上記手法選択ステップにより選択された手法による変換処理を施すことで、上記第２の走査方式による上記第２の画像信号を取得する変換ステップと
を含むことを特徴とする走査方式変換方法。
【請求項９】  上記変換ステップは、それぞれが手法が異なる所定数の変換処理ステップを含み、
上記分配ステップは、上記所定数の変換処理ステップのそれぞれに対して、上記領域分割ステップにより得られた分割領域の画像信号を分配するステップを含むことを特徴とする請求項８に記載の走査方式変換方法。
【請求項１０】  上記分配ステップは、上記領域分割ステップにより得られた分割領域に対して、当該分割領域の画面上における位置を示す位置情報を付加して分配するステップを含み、
上記変換ステップは、上記位置情報に基づいて、上記第２の画像信号を出力するステップを含むことを特徴とする請求項８に記載の走査方式変換方法。
【請求項１１】  上記推定ステップは、上記画像記憶ステップにより記憶された情報量を監視することで処理負荷の大きさを推定するステップと、処理負荷が大きいと判定した場合に上記変換ステップに対して変換処理の手法の変更を指示するステップとを含むことを特徴とする請求項８に記載の走査方式変換方法。
【請求項１２】  上記変換ステップは、上記推定ステップによる指示に基づいて、現在の変換処理の手法よりも処理負荷の小さい手法の変換処理に変更するステップを含むことを特徴とする請求項１１に記載の走査方式変換方法。
【請求項１３】  請求項１〜６の何れか１項に記載の画像処理装置の機能をコンピュータに実現させるための処理プログラムを記録したコンピュータ読み取り可能な記憶媒体。
【請求項１４】  請求項７〜１２の何れか１項に記載の走査方式変換方法の処理ステップをコンピュータに実行させるための処理プログラムを記録したコンピュータ読み取り可能な記憶媒体。
【請求項１５】  コンピュータに、請求項１〜６の何れか１項に記載の画像処理装置の機能を実現させるためのプログラム。
【請求項１６】  コンピュータに、請求項７〜１２の何れか１項に記載の走査方式変換方法の処理ステップを実行させるためのプログラム。
【手続補正３】
【補正対象書類名】明細書
【補正対象項目名】０００１
【補正方法】変更
【補正の内容】
【０００１】
【発明の属する技術分野】
本発明は、例えば、インターレース走査方式による画像信号（インターレース画像信号）を、順次走査方式による画像信号（順次走査画像信号）に変換するための装置或いはシステムに用いられる、画像処理装置、走査方式変換方法、それを実施するための処理ステップ等をコンピュータに実行させるためのプログラム、当該プログラムを記憶したコンピュータ読み取り可能な記憶媒体に関するものである。
【手続補正４】
【補正対象書類名】明細書
【補正対象項目名】００１４
【補正方法】変更
【補正の内容】
【００１４】
そこで、本発明は、上記の欠点を除去するために成されたもので、マイクロプロセッサへの処理負荷が大きくなると、処理負荷の大きい走査線変換を、処理負荷の小さい走査線変換に変更可能な構成とすることで、急激な画質の劣化を生じることなく、走査線変換を続けて実行できる、画像処理装置、走査方式変換方法、それを実施するための処理ステップ等をコンピュータに実行させるためのプログラム、当該プログラムを記憶したコンピュータ読み取り可能な記憶媒体を提供することを目的とする。
【手続補正５】
【補正対象書類名】明細書
【補正対象項目名】００１５
【補正方法】変更
【補正の内容】
【００１５】
【課題を解決するための手段】
本発明の画像処理装置は、第１の走査方式による第１の画像信号が動き補償予測符号化により符号化された符号化信号から、第２の走査方式による第２の画像信号を取得する画像処理装置であって、上記符号化信号を復号して得られた第１の画像信号を記憶する第１の画像記憶手段と、上記符号化信号を復号して得られた動きベクトルを記憶する動きベクトル記憶手段と、上記動きベクトル記憶手段内の動きベクトルに基づいて、上記第１の画像記憶手段内の第１の画像信号により構成される画面を領域分割する領域分割手段と、上記第１の画像記憶手段内の第１の画像信号に対する上記第２の画像信号への変換処理の負荷を推定する推定手段と、上記領域分割手段での分割結果及び上記推定手段での結果に基づき、上記領域分割手段による分割領域において、上記第１の画像記憶手段内の第１の画像信号に対する上記第２の画像信号への走査方式変換処理の複数の手法の中から選択した手法による走査方式変換処理を実行する走査方式変換手段とを備える。
【手続補正６】
【補正対象書類名】明細書
【補正対象項目名】００１６
【補正方法】変更
【補正の内容】
【００１６】
本発明の走査方式変換方法は、第１の走査方式による第１の画像信号が動き補償予測符号化により符号化された符号化信号から、当該第１の走査方式を第２の走査方式に変換して第２の画像信号を取得するための走査方式変換方法であって、上記符号化信号を復号して得られた第１の画像信号を記憶する画像記憶ステップと、上記符号化信号を復号して得られた動きベクトルを記憶する動きベクトル記憶ステップと、上記動きベクトル記憶ステップにより記憶された動きベクトルに基づいて、上記画像記憶ステップにより記憶された第１の画像信号により構成される画面を領域分割する領域分割ステップと、上記画像記憶ステップにより記憶された第１の画像信号に対する上記第２の画像信号への走査方式変換処理の負荷を推定する推定ステップと、上記領域分割ステップによる分割結果及び上記推定ステップによる結果に基づき、上記領域分割ステップによる分割領域において、上記画像記憶ステップにより記憶された第１の画像信号に対する上記第２の画像信号への走査方式変換処理の複数の手法の中から選択した手法による走査方式変換処理を実行する走査方式変換ステップとを含む。
【手続補正７】
【補正対象書類名】明細書
【補正対象項目名】００１７
【補正方法】変更
【補正の内容】
【００１７】
本発明の走査方式変換方法における他の態様は、第１の走査方式による第１の画像信号を第２の走査方式による第２の画像信号に変換するための走査方式変換方法であって、上記第１の画像信号が動き補償予測符号化により符号化された符号化信号を入力する入力ステップと、上記入力ステップによる符号化信号を復号して上記第１の画像信号及び動きベクトルを取得する復号ステップと、上記復号ステップにより得られた第１の画像信号を記憶する画像記憶ステップと、上記復号ステップにより得られた動きベクトルを記憶する動きベクトル記憶ステップと、上記動きベクトル記憶ステップにより記憶された動きベクトルに基づいて、上記画像記憶ステップにより記憶された第１の画像信号に対応する画面領域を分割する領域分割ステップと、上記領域分割ステップによる分割結果に基づいて、上記変換の処理の手法を選択する手法選択ステップと、上記手法選択ステップでの選択結果に基づいて、上記領域分割ステップにより得られた分割領域の画像信号を分配する分配ステップと、上記画像記憶ステップにより記憶された情報量に基づいて、現在の処理負荷を推定する推定ステップと、上記推定ステップでの推定結果に基づき、上記分配ステップにより分配された分割領域の画像信号に対して、上記手法選択ステップにより選択された手法による変換処理を施すことで、上記第２の走査方式による上記第２の画像信号を取得する変換ステップとを含む。
【手続補正８】
【補正対象書類名】明細書
【補正対象項目名】００１８
【補正方法】変更
【補正の内容】
【００１８】
本発明のコンピュータ読み取り可能な記憶媒体は、上記画像処理装置の機能をコンピュータに実現させるための処理プログラムを記録する。
【手続補正９】
【補正対象書類名】明細書
【補正対象項目名】００１９
【補正方法】変更
【補正の内容】
【００１９】
本発明のコンピュータ読み取り可能な記憶媒体における他の態様は、上記走査方式変換方法の処理ステップをコンピュータに実行させるための処理プログラムを記録する。
【手続補正１０】
【補正対象書類名】明細書
【補正対象項目名】００２０
【補正方法】変更
【補正の内容】
【００２０】
本発明のプログラムは、コンピュータに、上記画像処理装置の機能を実現させる。
【手続補正１１】
【補正対象書類名】明細書
【補正対象項目名】００２１
【補正方法】変更
【補正の内容】
【００２１】
本発明のプログラムにおける他の態様は、コンピュータに、上記走査方式変換方法の処理ステップを実行させる。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】